(57)【特許請求の範囲】
【請求項１】
水タンク（３）から給湯パイプ（９）を通して供給される水を当該給湯パイプ（９）に付設されたヒーター（５）で加熱し、加熱された熱湯を前記給湯パイプ（９）の先端の吐出口（６）からコーヒー粉を収容した抽出器（７）に注ぎ、当該抽出器（７）で抽出されたコーヒーを容器（８）に注入せしめるコーヒーメーカー（１）において、当該コーヒーメーカー（１）の本体（２）にコーヒーミル（１０）を着脱自在に装着し、当該コーヒーミル（１０）のケース（１１）の一部にコーヒーミル（１０）内のコーヒー粉を清掃する小ブラシ（１８）を収容するためのブラシ収容部（１７）を形成すると共に、当該ブラシ収容部（１７）がコーヒーミル（１０）のケース（１１）の側壁に形成された上部に開いた有底孔であり、当該ブラシ収容部（１７）の底部側面に側方に開いた開口（１９）を形成し、ケース（１１）を本体（２）に結合した状態において、前記開口（１９）が水タンク（３）で塞がる位置に形成されていることを特徴とする、コーヒーメーカー
【発明の詳細な説明】
【０００１】
【発明の属する技術分野】
本発明は、水タンクから供給される水を加熱して熱湯とし、その熱湯をコーヒー粉を収容した抽出器に注ぎ、抽出されたコーヒーを容器に注ぐようにした、家庭用のコーヒーメーカーに関するものである。
【０００２】
【従来の技術】
従来家庭用のコーヒーメーカーとして、機体下部に設けられた載置台の下面に環状のヒーターを付設し、水タンクから供給される水をそのヒーターに沿って流して加熱し、得られた熱湯を機体上部に移送して、熱湯を吐出口から抽出器に注ぎ、抽出されたコーヒーを前記載置台上に載置された容器に注ぎ、前記ヒーターの熱で保温するようにしたものが知られている。
【０００３】
またこの種のコーヒーメーカーにおいて、本体の後部にコーヒーミルを着脱自在に装着し、コーヒーを抽出する直前に当該コーヒーミルでコーヒー豆を粉砕するようにしたものも知られている。
【０００４】
【発明が解決しようとする課題】
ところで前述のようにコーヒーミルでコーヒー豆を粉砕した場合、コーヒーミルのケース内に粉砕したコーヒーの粉末が付着し、ケースを傾けただけでは排出されずに残ってしまうことがある。
【０００５】
従ってケース内に付着したコーヒー粉を完全に排出するためには、コーヒーメーカーの付属品として、ケース内のコーヒー粉を掃き出すための小ブラシが必要であるが、そのようなブラシは小部品であるために紛失しやすい。
【０００６】
本発明はかかる事情に鑑みなされたものであって、コーヒーミルのケース内を清掃するためのブラシを収容し、必要時に容易に取り出して使用することのできる構造を提供することを目的とするものである。
【０００７】
【課題を解決するための手段】
而して本発明は、水タンクから給湯パイプを通して供給される水を当該給湯パイプに付設されたヒーターで加熱し、加熱された熱湯を前記給湯パイプの先端の吐出口からコーヒー粉を収容した抽出器に注ぎ、当該抽出器で抽出されたコーヒーを容器に注入せしめるコーヒーメーカーにおいて、当該コーヒーメーカーの本体にコーヒーミルを着脱自在に装着し、当該コーヒーミルのケースの一部にコーヒーミル内のコーヒー粉を清掃する小ブラシを収容するためのブラシ収容部を形成すると共に、当該ブラシ収容部がコーヒーミルのケースの側壁に形成された上部に開いた有底孔であり、当該ブラシ収容部の底部側面に側方に開いた開口を形成し、ケースを本体に結合した状態において、前記開口が水タンクで塞がる位置に形成されていることを特徴とするものである。
【０００９】
【発明の実施の形態】
以下本発明の実施の形態を図面に従って説明する。図１及び図２は本発明のコーヒーメーカー１を示すものである。２は当該コーヒーメーカー１の本体であって、中央部上部に水タンク３が設けられ、本体２の前下部には載置台４が設けられ、その載置台４の下面には環状のヒーター５が付設されている。
【００１０】
また本体２の前上部には熱湯を吐出する吐出口６が形成され、当該吐出口６の下方には抽出器７が設けられており、吐出口６から吐出された熱湯によって抽出器７内のコーヒー粉からコーヒーが抽出され、前記載置台４上に載置された容器８内に注入されるようになっている。
【００１１】
また前記水タンク３の底部には給湯パイプ９の端末が結合され、当該給湯パイプ９は前記ヒーター５に沿ってそのヒーター５と一体に環状に付設されており、その先端は前記吐出口６に接続されている。
【００１２】
そして本発明においては、本体２の後上部にコーヒーミル１０が設けられている。当該コーヒーミル１０は、椀状のケース１１が本体２に対して着脱自在に取り付けられており、そのケース１１の底部に回転羽根１２が取り付けられ、ケース１１を本体２に装着した状態において回転羽根１２が本体２に設けられたモーター１３に結合し、押しボタン１４を押し下げることによりモーター１３で回転羽根１２を回転駆動し、その回転羽根１２でケース１１内のコーヒー豆を粉砕するようになっている。
【００１３】
図３及び図４は、本発明におけるコーヒーミル１０を示すものである。コーヒーミル１０のケース１１は上部に開いた椀状をなしており、そのケース１１の上部には蓋体１５が嵌合されている。
【００１４】
そしてそのケース１１の側壁の一部には外方に突出した突部１６が形成されており、当該突部１６には上方に開いた有底孔としてのブラシ収容部１７が形成され、当該ブラシ収容部１７内にケース１１内を清掃するための小ブラシ１８が収容されている。そしてそのブラシ収容部１７の底部側面には、側方に開いた開口１９が形成されている。
【００１５】
そしてケース１１は前記水タンク３の後部に設けられており、そのケース１１における突部１６はその一側面が水タンク３の後部側面に接近して対向しており、突部１６における当該側面に前記開口１９が形成され、その開口１９が水タンク３で塞がれて埃などが侵入するのを防ぐようになっている。
【００１６】
【作用】
以下本発明のコーヒーメーカー１の使用方法を説明する。先ずコーヒーミル１０のケース１１内に適量のコーヒー豆を入れて蓋体１５を閉じ、押しボタン１４を押し下げるとモーター１３が駆動し、回転羽根１２が回転してケース１１内のコーヒー豆を粉砕してコーヒー粉とする。
【００１７】
コーヒー豆が適度に粉砕されたならば、ケース１１を本体２から取り外し、蓋体１５を開けてケース１１内のコーヒー粉を抽出器７にセットしたフィルター内に移す。このときケース１１のブラシ収容部１７に小ブラシ１８が収容されているので、その小ブラシ１８を取り出してケース１１内に付着したコーヒー豆を清掃し、全て抽出器７に移すことができる。
【００１８】
コーヒー粉を全て抽出器７に移したならば、小ブラシ１８をブラシ収容部１７内に収容して蓋体１５を閉じ、ケース１１を再度本体２の後上部に結合して元の状態に戻す。
【００１９】
このコーヒーミル１０を繰り返し使用しているうちに、小ブラシ１８に少量のコーヒー粉が付着してブラシ収容部１７内に落ちることがあるが、請求項２の発明によればブラシ収容部１７内に落ちたコーヒー粉を開口１９から排出し、ブラシ収容部１７内を清潔に保つことができる。
【００２０】
また図面に示すように、ケース１１の突部１６における水タンク３に接近して対向する側壁に前記開口１９を形成することにより、ケース１１を本体２に結合した状態では開口１９が水タンク３で塞がっており、開口１９からブラシ収容部１７内に埃などが侵入することがない。
【００２１】
上述のようにして抽出器７内のフィルターにコーヒー粉を入れたならば、水タンク３内に適量の水を注入し、抽出器７の下方の載置台４上に容器８を載置し、この状態でヒーター５に通電する。
【００２２】
これにより、ヒーター５に沿って設けられた給湯パイプ９内の水が加熱されて沸騰し、その沸騰水は上方に送られて吐出口６から抽出器７内のコーヒー粉に注がれ、当該コーヒー粉から抽出されたコーヒーは容器８内に注入され、ヒーター５の熱で保温される。
【００２３】
【発明の効果】
従って本発明によれば、コーヒーメーカー１の本体２に着脱自在にコーヒーミル１０を設けているので、そのコーヒーミル１０でコーヒー豆を粉砕し、得られた新鮮なコーヒー粉で直ちにコーヒーをいれて、美味しいコーヒーを飲むことができる。
【００２４】
また本体２に着脱自在に取り付けられたコーヒーミル１０のケース１１にブラシ収容部１７を形成し、当該ブラシ収容部１７に小ブラシ１８を収容しているので、粉砕されたコーヒー粉をケース１１から抽出器７に移すときに、容易にケース１１から小ブラシ１８を取り出して、ケース１１内のコーヒー粉を清掃して全て抽出器７に移すことができる。
【００２５】
またコーヒー粉を抽出器７に移した後も、そのまま小ブラシ１８をケース１１のブラシ収容部１７に戻すことができるので、別の収容場所に収容し忘れて紛失する可能性も少ない。
【００２６】
さらに本発明によれば、小ブラシ１８に付着してブラシ収容部１７内に落ちたコーヒー粉も開口１９から容易に排出することができ、小ブラシ１８及びブラシ収容部１７内を清潔に保つことができると共に、ケース１１を本体２に結合した状態では開口１９が水タンク３で塞がっているので、開口１９から埃などが侵入することもない。
【図面の簡単な説明】
【図１】  本発明のコーヒーメーカーの斜視図
【図２】  図１のコーヒーメーカーの中央縦断面図
【図３】  本発明におけるコーヒーミルの斜視図
【図４】  図３のコーヒーミル１０の断面図であって、（ａ）は中央縦断面図、（ｂ）は（ａ）におけるｂ−ｂ断面図である。
１  コーヒーメーカー
３  水タンク
４  載置台
５  ヒーター
６  吐出口
７  抽出器
８  容器
９  給湯パイプ
１０  コーヒーミル
１１  ケース
１７  ブラシ収容部
１８  小ブラシ
【図１】
0003743930.tif 000002
【図２】
0003743930.tif 000003
【図３】
0003743930.tif 000004
【図４】
0003743930.tif 000005